(57)【要約】【課題】  平らな床面のみならず凹凸のある床面やゲーム機の裏側の狭い通路などに散乱しているコインに対しても、容易かつ効率的に回収することのできるコイン回収容器を提供することにある。【解決手段】  コイン回収容器９は、空気吸込口１６および空気吐出口１７を有するコイン誘導室１１と、このコイン誘導室１１と仕切られたコイン回収室１２とを備える。コイン誘導室１１とコイン回収室１２との仕切り部分には空気吸込口１６からコイン誘導室１１内に導かれたコインをコイン回収室１２に導く開口部２５と、この開口部２５を開閉する扉２６とが設けられる。また、コイン誘導室１１にはコインが空気吐出口１７に吸い込まれるのを防ぐ吸込防止板２０が設けられる。【選択図】  図１
2008125579.tif 000002
【特許請求の範囲】
【請求項１】
空気吸込口および空気吐出口を有するコイン誘導室と、このコイン誘導室と仕切られたコイン回収室とを備え、
前記コイン誘導室とコイン回収室との仕切り部分には前記空気吸込口からコイン誘導室内に導かれたコインをコイン回収室に導く開口部と、この開口部を開閉する扉とが設けられる一方、
前記コイン誘導室にはコイン誘導室内に導かれたコインが前記空気吐出口に吸い込まれるのを防ぐ吸込防止部が設けられることを特徴とするコイン回収容器。
【請求項２】
前記扉はバネによって付勢され常時は開口部を閉じる一方、扉の上に載っているコインの自重によって扉が押されて開口部が開き、コイン誘導室のコインをコイン回収室に導く請求項１記載のコイン回収容器。
【請求項３】
前記開口部が前記コイン誘導室とコイン回収室との仕切り部分に配置された仕切板に開設され、この仕切板の開口部側の端部に扉の一端が回転自在に支持される請求項１記載のコイン回収容器。
【請求項４】
前記コイン回収室はコイン誘導室と一体に成形され、又はコイン誘導室に着脱可能に取り付けられる請求項１記載のコイン回収容器。
【請求項５】
前記吸込防止部は、コイン誘導室を空気吸込口と空気吐出口との間で仕切ると共に、空気吸込口側の空気及び塵埃が空気吐出口側にすり抜けるのを妨げない小孔を複数有している請求項１記載のコイン回収容器。
【請求項６】
前記空気吸込口にはコインを吸い込んでコイン誘導室まで導くための吸込ホースが接続され、前記空気吐出口には吸引の動力源から延びる吐出ホースが接続される請求項１記載のコイン回収容器。
【発明の詳細な説明】
【技術分野】
【０００１】
本発明は、床の上などに散乱したコインを回収するためのコイン回収容器に関する。
【背景技術】
【０００２】
ゲームセンターやパチンコホールなどの遊技場には、スロットマシンなど遊技用のコインを用いて遊技をするゲーム機が設置されている。遊技者はゲーム機にコインを投入する際に、コインを床に落としたり、コインを入れた箱をひっくり返したりして、多数のコインを床の上に散乱させてしまうことがある。また、ゲーム機の裏側通路には各ゲーム機にコインを供給するコイン搬送用のホースが配管されているが、このホースのつなぎ目の不具合箇所からコインが裏側通路に散乱してしまうことがある。従来は、このように床の上や裏側通路に散乱したコインを、遊技者や遊技場の係員が直接手で一枚一枚拾い集めていた。
【０００３】
しかしながら、上記のように床の上やゲーム機の裏側通路に散乱したコインを人の手によって拾い集めるためには、作業者はしゃがみ込んでコインを一枚づつ拾わなくてはならず、手間と時間が掛かり、作業者にとって大きな負担となる。特に、ゲーム機の裏側通路は狭いので作業がやり難く散乱した状態にしているのが実情である。また、ゲーム機は狭い空間に連続して並んで設置してあるため、床に散乱したコインを拾い集める作業は、他の遊技者の邪魔となる。このため、コインを集める作業は、できる限り短時間で終了させる必要がある。
【０００４】
こうした問題を解決するため、床の上やゲーム機の裏側通路に散乱したコインを直接手で拾うことなく、能率よく短時間で回収するためのコイン回収機が知られている（特許文献１）。このコイン回収機は、図１０に示されるように、ハウジング１内に回転へら２，３が収容されており、この回転へら２，３の回転方向の上流側には床面と接するリードエッジ２ａ，３ａが設けられ、下流側には水平面２ｂ，３ｂを経由してコイン止め２ｃ，３ｃが立設されている。また、ハウジング１の周面１ａの上部には開口４が設けられており、この開口４から径外方向に突出して回収トレイ５が固定されている。
【０００５】
このような構成からなるコイン回収機にあっては、回転へら２，３が回転することによってリードエッジ２ａ，３ａの先端が床に落ちているコインと床との隙間に入り込んでコインをすくい上げる。すくい上げられたコイン６は、慣性力で回転へら２，３のリードエッジ２ａ，３ａの表面を昇り、水平面２ｂ，３ｂに達した後、コイン止め２ｃ，３ｃに堰き止められる。堰き止められたコイン６は、回転へら２，３と共に回転することにより径外方向に遠心力を受け、コイン６の側面をハウジング１の内周面に接触させながら回転する。そして、コイン６が開口４に達すると、遠心力によってコイン６が径外方向に向かって飛び出し、回収トレイ５内に回収される。
【特許文献１】特開２００６−３４６０６号公報
【発明の開示】
【発明が解決しようとする課題】
【０００６】
しかしながら、上記のコイン回収機は回転へら２，３を水平面上で回転させる構成となっているため、平らな床面に散乱しているコインに対して有効に回収できるものの、回転へら２，３を回転させることのできない凹凸のある床面に落ちているコインや回転へら２，３が届かない床の隅に落ちているコインに対して、あるいはゲーム機の裏側通路など狭い箇所に散乱しているコインに対しては、本来の働きを発揮させることができなかった。
【０００７】
そこで、本発明が解決しようとする課題は、平らな床面のみならず凹凸のある床面やゲーム機の裏側の狭い通路などに散乱しているコインに対しても、容易かつ効率的に回収することのできるコイン回収容器を提供することにある。
【課題を解決するための手段】
【０００８】
本発明のコイン回収容器は、空気吸込口および空気吐出口を有するコイン誘導室と、このコイン誘導室と仕切られたコイン回収室とを備え、前記コイン誘導室とコイン回収室との仕切り部分には前記空気吸込口からコイン誘導室内に導かれたコインをコイン回収室に導く開口部と、この開口部を開閉する扉とが設けられる一方、前記コイン誘導室にはコイン誘導室内に導かれたコインが前記空気吐出口に吸い込まれるのを防ぐ吸込防止部が設けられることを特徴とする。
【０００９】
また、本発明のコイン回収容器の扉は、バネによって付勢され常時は開口部を閉じる一方、扉の上に載っているコインの自重によって扉が押されて開口部が開き、コイン誘導室のコインをコイン回収室に導くことを特徴とする。
【発明の効果】
【００１０】
本発明によれば、コイン誘導室の空気吸込口にコインを吸い込むための吸込ホースを接続し、前記空気吐出口に吸引の動力源から延びる吐出ホースを接続することで、凹凸のある床面やゲーム機の裏側の狭い通路などに散乱しているコインを容易にかつ効率的に回収することのできる。
【発明を実施するための最良の形態】
【００１１】
以下、本発明に係るコイン回収容器の最良の形態を添付図面に基づいて詳細に説明する。図１及び図２は、本発明に係るコイン回収容器９の全体形状を示したものである。このコイン回収容器９は、透明のプラスチック材料によって箱形に形成されたケーシング１０を備える。このケーシング１０には、上部が半円筒形状をした上側のコイン誘導室１１と、このコイン誘導室１１の下側に隣接したコイン回収室１２とが一体に設けられ、両室はケーシング１０の高さ寸法のほぼ中間位置に配置された仕切板１３によって上下に分離されている。
【００１２】
前記コイン誘導室１１の前後の壁面１４，１５にはそれぞれ空気吸込口１６と空気吐出口１７とが設けられ、使用時にはそれぞれの口に吸込ホース１８及び吐出ホース１９の端部が差し込まれる。また、前記コイン誘導室１１の空気吐出口１７の付近には吸込防止部が設けられる。この吸込防止部は前記空気吐出口１７内へのコインの吸込みを防止すると共に、コイン誘導室１１内に吸い込んだ空気や塵埃の吸込みを妨げないようにするもので、この実施例では多数の小孔２１が設けられた透明プラスチックからなる吸込防止板２０によって形成されている。この吸込防止板２０は、図１及び図２に示したように湾曲状に形成されており、コイン誘導室１１の後壁面１５と仕切板１３との接続部分から半円筒形状の上壁面２２に向かって反り返るように延びてコイン誘導室１１を前後に仕切っている。なお、小孔２１はコインがすり抜けない大きさであることは勿論である。
【００１３】
一方、コイン誘導室１１とコイン回収室１２とを分離する仕切板１３には、コイン誘導室１１内に吸い込んだコインを、更にコイン回収室１２内に導き入れる開口部２５が開設されている。この開口部２５の大きさや開口位置は特に制約を受けないが、この実施例では仕切板と略同じ大きさの開口面積を有し、仕切板１３の前方側、即ち空気吸込口１６側に設けられている。また、この開口部２５は平板状の扉２６によって開閉可能である。前記扉２６は、この実施例において、その後端２箇所が仕切板１３の開口部２５側の端部に蝶番２７によって回転自在に支持されている。また、蝶番２７の近傍には扉２６を上方向に付勢するねじりバネ２８が仕切板１３と扉２６との間に掛け渡されている。このねじりバネ２８は扉２６の上に載っているコインの自重によって扉２６が押し下がり、開口部２５が開くようにバネ力が調整されている。扉２６の上に何個のコインが載ったときに扉２６が押し下がるようにするかはねじりバネ２８の選択による。また、この実施例では前記仕切板１３の水平延長上にはねじりバネ２８のバネ力によって扉２６が上方向に回転した時に、扉２６の開放端に当接して扉２６を水平位置に保つストッパ部材２９が両側に設けられている。このストッパ部材２９は小さなブロック状のもので、コイン誘導室１１の前壁面１４に固着されている。扉２６はこの水平位置で開口部２５を常時閉じている。
【００１４】
コイン回収室１２は、吸引によってコイン誘導室１１内に導かれたコインを前記仕切板１３に開設された開口部２５を通じて導き入れ、ある程度の数量になるまで一時的に溜める空間部を有している。また、この実施例では溜まったコインを取り出すために、コイン回収室１２の前壁面３１が開閉扉を兼ね、前壁面３１の下端が蝶番３２で支持されている。ケーシング１０が透明プラスチックで構成されていることから、コインの溜まり具合は一目瞭然である。
【００１５】
図３及び図４は本発明に係るコイン回収容器９を掃除機４０に接続して使用する場合の実施例を示したものである。掃除機４０は一般家庭用又は事業用のいずれでも利用できる。掃除機４０の本体４１から延びる手元側ホース４２と吸込側ホース４３との間に本発明のコイン回収容器９を配置し、コイン誘導室１１の空気吸込口１６に吸込側ホース４３の後端部を差し込み、コイン誘導室１１の空気吐出口１７に手元側ホース４２の先端部を差し込む。掃除機４０を床に散乱したコインの場所まで運び、図４に示したように、吸込側ホース４３の先端を床に散乱したコイン４４に近づけて掃除機４０のスイッチを入れると、掃除機４０の吸引力によってコイン４４が吸込側ホース４３の先端から吸込まれてコイン回収容器９に溜まる。コイン４４が散乱している床面に凹凸があったり、床の隅やゲーム機の裏側通路など狭い所に散乱したコインに対しても吸込側ホース４３の先端を近づけることでコインを容易に吸込むことができる。
【００１６】
図５乃至図８は、本発明に係るコイン回収容器９のコイン回収動作を示したものである。先ず、図５に示したように、床面に散乱しているコイン４４は塵埃４５と一緒に吸込ホース１８に吸い込まれ、吸込ホース１８の後端からコイン誘導室１１内に吐き出される。コイン誘導室１１内に吐き出されたコイン４４は、図６に示したように、吸込防止板２０に妨げられて扉２６や仕切板１３の上に溜まる一方、塵埃４５や吸引空気は吸込防止板２０の小孔２１をすり抜けて吐出ホース１９内に吸込まれる。吸込防止板２０が扉２６の方にまで湾曲状に張り出しているので、吸込防止板２０に衝突したコイン４４が扉２６側に集まり易くなる。
【００１７】
コイン４４が扉２６の上にある程度溜まると、図７に示したように、コイン４４の重みによって扉２６が下方側に回転して開口部２５が開き、扉２６の上に溜まっていたコイン４４が滑り落ちてコイン回収室１２内に落下する。コイン４４が落ちてしまうと扉２６はねじりバネ２８の作用で再び元の位置まで復帰して開口部２５を閉じる。これによりコイン誘導室１１がコイン回収室１２と仕切られるため、コイン誘導室１１での吸引力が高まることになる。
【００１８】
図８に示したように、コイン回収室１２にコイン４４がかなり溜まった時点でコイン４４の吸い込みを一時停止し、コイン回収室１２の前壁面３１を開いて中に溜まっている沢山のコイン４４を取り出す。取り出した後、再び図５の状態に戻ってコインの吸い込みを再開する。
【００１９】
図９はコイン回収容器９のコイン誘導室１１とコイン回収室１２とを別体で構成した場合の実施例を示したものである。コイン誘導室１１の下端に係合部５０を設け、コイン回収室１２の上端に被係合部５１を設けることで両者を着脱可能としている。床などに散乱したコインを吸い込む際には前記係合部５０に前記被係合部５１を嵌め込んでコイン誘導室１１にコイン回収室１２を装着する一方、コイン回収室１２に溜まったコインは、前記両者の係合を解除しコイン回収室１２を取り外すことで回収することができる。コイン誘導室１１の設けられる吸込ホース１８、吐出ホース１９、吸込防止板２０や小孔２１など、及びコイン誘導室１１とコイン回収室１２との仕切部分に設けられる仕切板１３や扉２６、ねじりバネ２８などは上述した先の実施形態と同様の構成からなるので、同一の符号を用いて詳細な説明は省略する。
【００２０】
なお、上記開口部２５を開閉する扉２６の開閉方向は、上記実施形態のものに限定されず、コイン誘導室１１の空気吸込口１６側を開閉させてもよい。また、吸込防止板２０の形状及や材質も上記実施例のものに限定されないのは勿論であり、網状部材により構成することもできる。さらに、本発明のコイン回収容器９は上述した掃除機４０以外の吸引手段を用いてもコインの回収が可能である。
【産業上の利用可能性】
【００２１】
本発明のコイン回収容器は、スロットマシンなどゲーム遊技用のコインを用いるゲーム機が設置されているゲームセンターやパチンコホールなどの遊技場において、掃除機などにセットして床などに散乱したコインを手軽に且つ効率的に回収することができる。
【図面の簡単な説明】
【００２２】
【図１】本発明に係るコイン回収容器の一実施形態を示す斜視図である。
【図２】図１に示すコイン回収容器のII−II線に相当する断面図である。
【図３】本発明のコイン回収容器を掃除機に接続した状態を示す斜視図である。
【図４】コイン回収装置を掃除機に接続して使用する状態を示す斜視図である。
【図５】コイン誘導室にコインを吸い込んだ状態を示す説明図である。
【図６】コイン誘導室の塵埃のみが吸込防止板をすり抜ける状態を示す説明図である。
【図７】扉が開いてコイン回収室にコインが導かれる状態を示す説明図である。
【図８】コイン回収室に溜まったコインを取り出す状態を示す説明図である。
【図９】コイン誘導室とコイン回収室とを別体に構成した場合の一実施形態を示す断面図である。
【図１０】従来のコイン回収機の一例を示す斜視図である。
【符号の説明】
【００２３】
９  コイン回収容器
１０  ケーシング
１１  コイン誘導室
１２  コイン回収室
１３  仕切板
１４  前壁面
１５  後壁面
１６  空気吸込口
１７  空気吐出口
１８  吸込ホース
１９  吐出ホース
２０  吸込防止板
２１  小孔
２２  上壁面
２５  開口部
２６  扉
２７  蝶番
２８  ねじりバネ
２９  ストッパ部材
３１  前壁面
３２  蝶番
４０  掃除機
４１  本体
４２  手元側ホース
４３  吸込側ホース
４４  コイン
４５  塵埃
５０  係合部
５１  被係合部
【図１】
2008125579.tif 000003
【図２】
2008125579.tif 000004
【図３】
2008125579.tif 000005
【図４】
2008125579.tif 000006
【図５】
2008125579.tif 000007
【図６】
2008125579.tif 000008
【図７】
2008125579.tif 000009
【図８】
2008125579.tif 000010
【図９】
2008125579.tif 000011
【図１０】
2008125579.tif 000012